(57)【要約】【課題】乗務員の安全運転に対する意志を確実に表示することである。【解決手段】車体に取り付け可能なフレームと、該フレームに取り付けるパネルと、を有する乗務員表示板であって、前記パネルには少なくとも顔写真表示部と名前表示部とを有し、前記フレームの一部に係合穴のあるフレーム係合部が形成され、前記パネルの一部には前記フレーム係合部と係合する係合穴のあるパネル係合部が形成され、前記フレーム係合部の係合穴と、前記パネル係合部の係合穴とを施錠することで前記パネルを前記フレームに固定することを特徴とする。【選択図】　図１
2004093710.tif 000002
【特許請求の範囲】
【請求項１】
車体に取り付け可能なフレームと、該フレームに取り付けるパネルと、を有する乗務員表示板であって、
前記パネルには少なくとも顔写真表示部と名前表示部とを有し、
前記フレームの一部に係合穴のあるフレーム係合部が形成され、
前記パネルの一部には前記フレーム係合部と係合する係合穴のあるパネル係合部が形成され、
前記フレーム係合部の係合穴と、前記パネル係合部の係合穴とを施錠することで前記パネルを前記フレームに固定することを特徴とする乗務員表示板。
【請求項２】
請求項１記載の乗務員表示板であって、
前記パネルは前記フレームに対して一方向から摺動させて取り付け、
前記パネルの前記係合部は前記パネルに対して立設し、摺動時の取手となることを特徴とする乗務員表示板。
【請求項３】
車体に取り付け可能なフレームと、該フレームに取り付けるパネルと、を有する乗務員表示板であって、
前記パネルは、少なくとも顔写真表示部と名前表示部とを有し、
前記フレームは、係合穴のある基板係合部のある基板と、該基板に回動可能に取り付けられ係合穴のある外枠係合部のある外枠と、で形成され、
前記基板係合部の係合穴と、前記外枠係合部の係合穴とを施錠することで前記パネルを前記フレームに固定することを特徴とする乗務員表示板。
【発明の詳細な説明】
【０００１】
【発明の属する技術分野】
本発明はトラック等の車体に付ける乗務員を表示する乗務員表示板に関する。
【０００２】
【従来の技術】
従来より、トラック等の車体の後部又は側部に付けられて乗務員の名前を表示し、外部に対して安全運転を宣言することで、乗務員の安全運転に対する意志を向上させるための乗務員表示板がある。この乗務員表示板は、車体に取り付けられ上部に開口のある金属製のフレームと、乗務員の名前を記載したパネルとから構成されている。このため乗務員は、乗務員の名前が記載されたパネルを前記フレームに挿入し取り付けた後にトラックを使用し、トラックを使用し終わると前記パネルを取り外していた。
【０００３】
【発明が解決しようとする課題】
しかしながら前記乗務員表示板は、単にフレームに対してパネルを取り付けるだけの構成であるので、誰でも容易にフレームからパネルを取り外すことが可能である。このため、例えばトラックの使用時に乗務員がパネルの取り付けを怠ってしまったり、途中で取り外してしまったりすると、乗務員の安全運転に対する意志を表示するという表示板本来の機能が果たせない。また、パネルが取り付けられていたとしても、名前だけの表示では、意志表示が誰のものであるのか十分に伝わらず、不十分な表示である場合があった。
【０００４】
そこで本発明の目的は、乗務員の安全運転に対する意志を確実に表示することである。
【０００５】
【課題を解決するための手段】
上記目的を達成するための、本発明の代表的な構成は、車体に取り付け可能なフレームと、該フレームに取り付けるパネルと、を有する乗務員表示板であって、前記パネルには少なくとも顔写真表示部と名前表示部とを有し、前記フレームの一部に係合穴のあるフレーム係合部が形成され、前記パネルの一部には前記フレーム係合部と係合する係合穴のあるパネル係合部が形成され、前記フレーム係合部の係合穴と、前記パネル係合部の係合穴とを施錠することで前記パネルを前記フレームに固定することを特徴とする。
【０００６】
以上の構成により、前記フレームに対して、前記パネルを取り付け、施錠をすることにより、前記パネルが前記フレームに確実に固定される。
【０００７】
【発明の実施の形態】
本発明の実施形態を図面を用いて詳細に説明する。図１は第１実施形態の乗務員表示板の斜視図であり、図２は乗務員表示板をトラックに取り付けた状態を示す図である。図１に示すように、本実施形態の乗務員表示板Ａは、車体Ｘに取り付けられるフレーム１と、フレーム１の一辺から挿入するパネル２とから構成され、フレーム１とパネル２とは錠３により施錠される。
【０００８】
フレーム１は金属やプラスチック等の硬質の素材からできており、横２４ｃｍ×縦３６ｃｍ程度の大きさで、図２に示すように車体Ｘの後部又は側部に取り付けられる。このため、車体Ｘの周辺から容易にパネル２の存在及びパネル２に描かれた内容を視認することができる。またフレーム１は、パネル２を挿入するために横の一辺が開口部となり、挿入したパネル２を保持するために他の三辺が枠部となっている。前記一辺に相対する辺には、フレーム係合部１ａがフレーム１と一体的に形成されており、フレーム係合部１ａには錠３が係合するための係合穴１ｂが開けられている。また、フレーム１の背面には、ビス４により車体Ｘにフレーム１を取り付けるため、複数のビス穴１ｃが開いている。
【０００９】
パネル２はプラスチック等の硬質の素材からできている。パネル２をフレーム１に完全に挿入し取り付けた時にフレーム係合部１ａと重なる位置に、パネル係合部としての取手２ａが形成されており、取手２ａには錠３が係合するための係合穴２ｂが開けられている。またパネル２の表面は、乗務員の顔写真を表示する顔写真表示部２ｃと、乗務員の名前を表示する名前表示部２ｄとから構成される。乗務員の名前だけでなく顔写真をも表示するため、外部から見ても乗務員が誰だか明確に認識することができ、安全運転への意志表示が誰のものであるのかを十分に伝えることができる。錠３は、係合穴１ｂと係合穴２ｂとを通るシリンダー部を有する市販の南京錠等の錠前である。
【００１０】
乗務員表示板Ａを使用する際には、まず、車体Ｘにビス４により固定されているフレーム１の開口部から、パネル２を挿入する。挿入する際、パネル２には表面に取手２ａが取り付けられているので挿入しやすい。パネル２が完全にフレーム１に入ると、フレーム係合部１ａとパネル２の取手２ａとが重なり合い、同時に係合穴１ｂと係合穴２ｂとが重なり合う。ここで、錠３のシリンダー部を係合穴１ｂ、２ｂの両方に通して施錠すると、フレーム１とパネル２とが確実に固定される。尚、錠３の鍵を、乗務員が管理するのではなく、鍵を管理する管理者が管理することにすれば、錠３が乗務員により簡単に外されることはないので、パネル２もフレーム１から簡単に外されることはない。
【００１１】
以上のように、本発明の乗務員表示板Ａは、フレーム１に対して、顔写真表示部２ｃと名前表示部２ｄを有するパネル２を挿入し、取り付け、フレーム係合部１ａとパネル２側の取手２ａとが錠３により確実に施錠され、パネル２がフレーム１に確実に固定される。ここで、錠３の鍵を乗務員が管理するのではなく、鍵を管理する管理者が管理することにすれば、乗務員によりパネル２がフレーム１から容易に外されることはない。このため、乗務員の安全運転に対する意志を確実に表示することができる。
【００１２】
また、パネル２は顔写真表示部２ｃと名前表示部２ｄとを有するため、乗務員の安全運転への意志表示が誰のものであるのかを十分に伝えることができる。更に、パネル２において、フレーム１と係合するパネル係合部が取手を兼ねることから、パネル２を容易にフレーム１に対して挿入し、取り付けることができる。
【００１３】
（第２実施形態）
本発明の第２実施形態について説明する。図３は第２実施形態の乗務員表示板の斜視図である。尚、本実施形態の説明において第１実施形態と同様の構成については、同符号を付し、説明を省略する。図３に示すように、乗務員表示板Ｂは、フレーム１１とパネル１２とから構成され、フレーム１１に設けられたフレーム係合部１１ａの係合穴１１ｂと、パネル１２に設けられたパネル係合部としての取手１２ａの係合穴１２ｂとが錠３により施錠される構成となっている。
【００１４】
フレーム１１は、図３（ａ）に示すように、フレーム１１の上の一辺を開口部とし、他の三辺を枠部としている。また、前記一辺に相対する辺には、フレーム係合部１１ａがフレーム１１に対してヒンジ１１ｈにより回動可能に結合している。また、フレーム係合部１１ａには、取手１２ａの周囲を覆う程度の大きさの係合穴１１ｂが開けられている。尚、フレーム１１の背面には、ビス４により車体Ｘにフレーム１を取り付けるため、複数のビス穴１１ｃが開いている。
【００１５】
この場合、顔写真表示部１２ｃ及び名前表示部１２ｄを有するパネル１２は、フレーム１１に対して上から下に挿入される。そして図３（ｂ）に示すように、パネル１２をフレーム１１に対して完全に挿入して取り付ける。ここでフレーム１１と一体的に構成されたフレーム係合部１１ａを取手１２ａの方向に回動させると、フレーム係合部１１ａの係合穴１１ｂが取手１２ａの周囲に被さる。ここで、錠３によって係合穴１１ｂと係合穴１２ｂとを施錠すると、パネル１２がフレーム１１に確実に固定される。
【００１６】
（他の実施形態）
前述した実施形態においては、フレーム係合部の位置をパネルを挿入する開口部と相対する位置に配設するとしたが、この位置に限るものではなく、パネルをフレームに対して完全に挿入した時に、フレーム係合部とパネル係合部とが係合する位置ならどの位置に配設してもよい。
【００１７】
また前述した実施形態においては、フレームに一体的に配設されたフレーム係合部と、パネルに一体的に配設されたパネル係合部とを有し、パネルをフレームに摺動させて取り付けた後に各係合部を施錠する構成としたが、これに限るものではなく、乗務員の安全運転に対する意志を確実に表示することができる構成であればよく、必ずしも摺動させて取り付けなくともよく、必ずしもフレームとパネルの双方に係合部を形成しなくともよい。
【００１８】
このため、例えば図４に示すように、乗務員表示板Ｃを、顔写真表示部２２ａと名前表示部２２ｂを有するパネル２２と、基板２１ａ及び外枠２１ｂをヒンジ２１ｆにより回動可能に連結し基板係合部２１ｄ及び外枠係合部２１ｅとを有するフレーム２１と、を有する構成としてもよい。この場合、パネル２２を、フレーム２１の基板２１ａと外枠２１ｂとの間に挿入し取り付けて、基板係合部２１ｄと外枠係合部２１ｅとを錠３により施錠すれば、パネル２２をフレーム２１に確実に固定することができる。尚、フレーム２１は、ビス穴２１ｃを通してビス４により車体Ｘに固定される。
【００１９】
【発明の効果】
以上説明したように本発明は、車体に取り付け可能なフレームと、該フレームに取り付けるパネルと、を有する乗務員表示板であって、前記パネルには少なくとも顔写真表示部と名前表示部とを有し、前記フレームの一部に係合穴のあるフレーム係合部が形成され、前記パネルの一部には前記フレーム係合部と係合する係合穴のあるパネル係合部が形成され、前記フレーム係合部の係合穴と、前記パネル係合部の係合穴とを施錠することで前記パネルを前記フレームに固定することを特徴とする。
【００２０】
以上の構成により、前記フレームに対して、前記パネルを挿入して施錠をすることにより、前記パネルが前記フレームに確実に固定され、乗務員の安全運転に対する意志を確実に表示することができる。
【図面の簡単な説明】
【図１】第１実施形態の乗務員表示板の斜視図である。
【図２】乗務員表示板をトラックに取り付けた状態を示す図である。
【図３】第２実施形態の乗務員表示板の斜視図である。
【図４】他の実施形態の乗務員表示板の構成を示す図である。
【符号の説明】
Ａ…乗務員表示板、Ｂ…乗務員表示板、Ｃ…乗務員表示板、
Ｘ…車体、
１…フレーム、１ａ…フレーム係合部、１ｂ…係合穴、１ｃ…ビス穴、
２…パネル、２ａ…取手（パネル係合部）、２ｂ…係合穴、
２ｃ…顔写真表示部、２ｄ…名前表示部、
３…錠、
４…ビス、
１１…フレーム、１１ａ…フレーム係合部、１１ｂ…係合穴、１１ｃ…ビス穴、
１１ｈ…ヒンジ、
１２…パネル、１２ａ…取手、１２ｂ…係合穴、１２ｃ…顔写真表示部、
１２ｄ…名前表示部、
２１…フレーム、２１ａ…基板、２１ｂ…外枠、２１ｃ…ビス穴、２１ｄ…基板係合部、
２１ｅ…外枠係合部、２１ｆ…ヒンジ、
２２…パネル、２２ａ…顔写真表示部、２２ｂ…名前表示部、
【図１】
2004093710.tif 000003
【図２】
2004093710.tif 000004
【図３】
2004093710.tif 000005
【図４】
2004093710.tif 000006